(57)【要約】【課題】仕切りユニットにより任意に浴室レイアウトを変更レイアウトでき、また、仕切りユニットのガラス層により任意に造型を変更できる浴室レイアウト構造を提供する。【解決手段】少なくともシャワーユニットと便器ユニットとが含有される空間領域と、可動的にシャワーユニットと便器ユニットとの間に設置される仕切りユニットが含有され、当該仕切りユニットは、複数の扉から構成され、各扉において高分子分散液晶複合フィルムをガラス層とする。【選択図】図１
0003140152.tif 000002
【実用新案登録請求の範囲】
【請求項１】
少なくとも、シャワーユニットと便器ユニットとが含有される空間領域と、可動的に上記の空間領域のシャワーユニットと便器ユニットとの間に設置され、複数の高分子分散液晶複合フィルムをガラス層とする扉から構成される仕切りユニットが含有されることを特徴とする、浴室レイアウト構造。
【請求項２】
当該空間領域の天井に、仕切りユニットを設置するためのレールがあることを特徴とする、請求項１に記載の浴室レイアウト構造。
【請求項３】
当該空間領域の天井に、当該仕切りユニットに対応するプロジェクタが設けられることを特徴とする、請求項１に記載の浴室レイアウト構造。
【請求項４】
当該仕切りユニットが、複数の一端を互いに連接でき、また、重ね合うように収納できる扉から構成されることを特徴とする、請求項１に記載の浴室レイアウト構造。
【請求項５】
当該仕切りユニットが、複数の互いに並列するように収納できる扉から構成されることを特徴とする、請求項１に記載の浴室レイアウト構造。
【請求項６】
当該仕切りユニットが、当該空間領域の少なくとも一つの壁に設置されることを特徴とする、請求項１に記載の浴室レイアウト構造。
【請求項７】
当該ガラス層に、パラフェイズ制御器が設置されることを特徴とする、請求項１に記載の浴室レイアウト構造。
【請求項８】
当該パラフェイズ制御器が、無線制御によるリモコンであることを特徴とする、請求項7に記載の浴室レイアウト構造。
【請求項９】
当該パラフェイズ制御器が、有線制御によりスイッチ部であることを特徴とする、請求項7に記載の浴室レイアウト構造。
【考案の詳細な説明】
【技術分野】
【０００１】
本考案は、浴室レイアウト構造に関し、特に、仕切りユニットにより、任意に浴室レイアウトを変更でき、また、仕切りユニットのガラス層により、任意に造型を変更できるものに関する。
【背景技術】
【０００２】
一般の従来の浴室は、当該空間内にシャワーユニットや便器、浴槽及び洗面台等の衛生＆浴室設備が設置され、ユーザーに対して清潔や衛生等の機能を提供するが、当該浴室は、一般として仕切りがない空間設計であるため、浴室において、シャワーや浴槽を利用する風呂を利用する人が居れば、他の人が便器を利用できなくなり、また、シャワーの後、浴室の地面が濡れて、後で浴室を利用する者がつるりと滑る恐れがある。
【０００３】
そのため、ユーザーがシャワーユニットや浴槽の一側に防水カーテンを設置して、水の飛散を防止するが、上記の方法による効果がよくなく、当該防水カーテンにより完全にシャワーユニットや浴槽を隔離できないため、水が四散することが多く、そのため引き戸が着いているシャワー設備が開発され、これにより、シャワーユニットや浴槽は、浴室において一つの空間として隔離され、ユーザーが当該空間を利用しても水が四散することはない。当該引き戸が着いているシャワー設備は、確実に水が四散することを防止できるが、設置する時、専門技術者により工事を行わなければならないし、また、固定式により設置されたため、浴室の空間が取られ、工事終了後、任意に浴室の仕切りを変更できない。
【０００４】
また、当該防水カーテンや当該引き戸は透明や半透明で、形式的にシャワー空間と便器を隔離するため、シャワーを利用する人が居れば他の人が便器を使用することができなくなる。そのため、従来のものは実用的ではない。
【考案の開示】
【考案が解決しようとする課題】
【０００５】
本考案の主な目的は、仕切りユニットにより任意に浴室レイアウトを変更でき、また、仕切りユニットのガラス層により、任意に造型を変更できる浴室レイアウト構造を提供する。
【課題を解決するための手段】
【０００６】
請求項１の考案は、少なくとも、シャワーユニットと便器ユニットとが含有される空間領域と、可動的に上記の空間領域のシャワーユニットと便器ユニットとの間に設置され、複数の高分子分散液晶（Ｐｏｌｙｍｅｒ  Ｄｉｓｐｅｒｓｅｄ  Ｌｉｑｕｉｄ  Ｃｒｙｓｔａｌ、ＰＤＬＣ）複合フィルムをガラス層とする扉から構成される仕切りユニットが含有されることを特徴とする、浴室レイアウト構造である。
【０００７】
請求項２の考案は、当該空間領域の天井に、仕切りユニットを設置するためのレールがあることを特徴とする、請求項１に記載の浴室レイアウト構造である。
【０００８】
請求項３の考案は、当該空間領域の天井に、当該仕切りユニットに対応するプロジェクタが設けられることを特徴とする、請求項１に記載の浴室レイアウト構造である。
【０００９】
請求項４の考案は、当該仕切りユニットが複数の一端を互いに連接でき、また、重ね合うように収納できる扉から構成されることを特徴とする、請求項１に記載の浴室レイアウト構造である。
【００１０】
請求項５の考案は、当該仕切りユニットが、複数の互いに並列するように収納できる扉から構成されることを特徴とする、請求項１に記載の浴室レイアウト構造である。
【００１１】
請求項６の考案は、当該仕切りユニットが、当該空間領域の少なくとも一つの壁に設置されることを特徴とする、請求項１に記載の浴室レイアウト構造である。
【００１２】
請求項７の考案は、当該ガラス層に、パラフェイズ制御器が設置されることを特徴とする、請求項１に記載の浴室レイアウト構造である。
【００１３】
請求項８の考案は、当該パラフェイズ制御器が、無線制御によるリモコンであることを特徴とする、請求項１に記載の浴室レイアウト構造である。
【００１４】
請求項９の考案は、当該パラフェイズ制御器が、有線制御によりスイッチ部であることを特徴とする、請求項１に記載の浴室レイアウト構造である。
【考案を実施するための最良の形態】
【００１５】
図１と図２は、それぞれ本考案の側面概念図と本考案の上面概念図である。本考案は、図のように浴室レイアウト構造であり、少なくとも空間領域１と仕切りユニット２から構成され、当該仕切りユニット２により任意に浴室レイアウトを変更でき、また、当該仕切りユニット２により任意に造型を変更することができる。
【００１６】
上記の空間領域１において、少なくとも、シャワーユニット１１や便器ユニット１２、浴槽ユニット１３及び洗面台１４等の衛生＆浴室設備が設置され、また、当該空間領域１の天井にレール１５とプロジェクタ１６が設けられる。
【００１７】
当該仕切りユニット２は、シャワーユニット１１と便器ユニット１２との間に位置し、その一端が可動的に上記の空間領域１のレール１５に設置され、また、当該仕切りユニット２は複数の一端が互いに連接でき、重ね合うように収納できる扉２１から構成され、各扉２１において、高分子分散液晶（Ｐｏｌｙｍｅｒ  Ｄｉｓｐｅｒｓｅｄ  Ｌｉｑｕｉｄ  Ｃｒｙｓｔａｌ、ＰＤＬＣ）複合フィルムをガラス層２１１とし、また、当該ガラス層２１１にパラフェイズ制御器２１２が設けられ、当該パラフェイズ制御器２１２は、無線制御によるリモコン２１３であるか、有線制御によるスイッチ部２１４であり、また、当該仕切りユニット２は空間領域１の天井に設けられたプロジェクタ１６に対応する。上記の構造により新規の浴室レイアウト構造が構成される。
【００１８】
図３と図４は、それぞれ本考案の使用状態概念図と本考案の使用状態上面概念図である。図のように、ユーザーが当該仕切りユニット２を引っ張ることで、空間領域１の天井に設置されるレール１５により、互いに連接されて重ね合うように収納できる扉２１を一つの壁とすることができ、また、少なくとも当該空間領域１のシャワーユニット１１と便器ユニット１２とを隔離でき、そして、リモコン２１３やスイッチ部２１４でパラフェイズ制御器２１２を制御し、ガラス層２１１をパラフェイズして不透過にし、これにより、シャワーユニット１１と便器ユニット１２とが隔離されて、浴室において濡れている部分と乾燥を保持する部分の２部分に分けられ、これにより、仕切りユニット２で任意に浴室レイアウトを変更する目的が実現され、また実用上、当該仕切りユニット２の扉２１は、レール１５の配置に合わせてシャワーユニット１１と便器ユニット１２とを隔離できるだめでなく、必要に応ずる異なる仕切りを行うことができる。
【００１９】
ユーザーは、空間領域１の天井に設置されたプロジェクタ１６により、映像や図柄を仕切りユニット２の不透過のガラス層２１１に投射することにより、当該扉２１のガラス層２１１に映像や図柄を表示し、任意に造型を変更する目的が実現され、また、ユーザーがより広い空間領域１が欲しい時、仕切りユニット２の扉２１を、レール１５に沿って、互いに重ね合うように空間領域１の一側に収納することにより、より広い使用空間が得られる。
【００２０】
図５は、本考案の他の実施状態概念図である。図のように、本考案に係わる仕切りユニット２は、上記のように重ね合う方式により扉２１を収納できる他、当該仕切りユニット２ａは、実際の空間領域１の坪数と運用状況に応じて、当該複数の扉２１ａを互いに並列するように収納する形態から構成されてもよい。
【００２１】
図６は、本考案の更に他の実施状態概念図である。図のように、本考案に係わる仕切りユニット２ｂは、当該空間領域の少なくとも一つの壁に設置され、これにより本考案はより実用的になる。
【００２２】
以上の説明のように、本考案に係わる浴室レイアウト構造は、有効的に従来の諸欠点を解消でき、仕切りユニットにより任意に浴室レイアウトを変更でき、また、仕切りユニットのガラス層により任意に造型を変更でき、そのため、本考案はより進歩的且つより実用的であり、法に従って実用新案登録請求を出願する。
【００２３】
以上は、ただ、本考案のより良い実施例であり、本考案はそれによって制限されることがない、また、本考案に係わる実用新案登録請求の範囲や明細書の内容に基づいて行う等価の変更や修正は、全てが本考案の実用新案登録請求の範囲内に含まれる。
【図面の簡単な説明】
【００２４】
【図１】本考案の側面概念図
【図２】本考案の上面概念図
【図３】本考案の使用状態概念図
【図４】本考案の使用状態の上面概念図
【図５】本考案の他の実施状態の概念図
【図６】本考案の更に他の実施状態の概念図
【符号の説明】
【００２５】
１        空間領域
１１      シャワーユニット
１２      便器ユニット
１３      浴槽ユニット
１４      洗面台
１５      レール
１６      プロジェクタ
２        仕切りユニット
２ａ      仕切りユニット
２１      扉
２１ａ    扉
２１１    ガラス層
２１２    パラフェイズ制御器
２１３    リモコン
２１４    スイッチ部
【図１】
0003140152.tif 000003
【図２】
0003140152.tif 000004
【図３】
0003140152.tif 000005
【図４】
0003140152.tif 000006
【図５】
0003140152.tif 000007
【図６】
0003140152.tif 000008